(57)【要約】      （修正有）【課題】ショーケース用着脱式自動回転扉を提供する。【解決手段】多数の回転幕３０が配備され、回転幕３０の上部には仕上げキャップが嵌め込まれるが、前記仕上げキャップの中央には嵌合突起が取り付けられ、前記嵌合突起には駆動ギア５０が取り付けられ、回転幕３０の下部には仕上げキャップが嵌め込まれ、嵌合突起に取り付けられた駆動ギア５０が上部フレーム２０の上面に列設され、前記駆動ギア５０の両側には駆動ギア５０と噛合される片ギアベルトに張力を与えるための軸受け６２がそれぞれ配設され、前記上部フレーム２０の上方にはセンサーが取り付けられた蓋体が取り付けられて、センサーの感知信号に基づく駆動モータ６３の作動によって前記片ギアベルト６０が前記回転幕３０の上部に取り付けられた駆動ギア５０を同時に同じ方向に回転させることにより、回転幕３０が同じ方向に開閉されるショーケース用着脱式自動回転扉。【選択図】図１５
2014217746.tif 000002
【特許請求の範囲】
【請求項１】
多数の回転幕（３０）が配備され、回転幕（３０）の上部には仕上げキャップ（４０）が嵌め込まれるが、前記仕上げキャップ（４０）の中央には嵌合突起（４１）が取り付けられ、前記嵌合突起（４１）には駆動ギア（５０）が取り付けられ、回転幕（３０）の下部には仕上げキャップ（４０）が嵌め込まれ、前記回転幕（３０）は上部に嵌め込まれた仕上げキャップ（４０）の嵌合突起（４１）を介して上部フレーム（２０）に多数列設された嵌合孔（２３）に組み付けられるが、嵌合突起（４１）に取り付けられた駆動ギア（５０）が上部フレーム（２０）の上面に列設され、前記駆動ギア（５０）の両側には駆動ギア（５０）と噛合される片ギアベルト（６０）に張力を与えるための軸受け（６２）がそれぞれ配設され、上部フレーム（２０）の内部には前記片ギアベルト（６０）に回転力を与える駆動モータ（６３）が多数の駆動ギア（５０）のうちのいずれか一つの駆動ギア（５０）にモータの軸が連結されながら配設され、前記上部フレーム（２０）の上方にはセンサー（８０）が取り付けられた蓋体（２６）が取り付けられて、センサー（８０）の感知信号に基づく駆動モータ（６３）の作動によって前記片ギアベルト（６０）が前記回転幕（３０）の上部に取り付けられた駆動ギア（５０）を同時に同じ方向に回転させることにより、回転幕（３０）が同じ方向に開閉されることを特徴とするショーケース用着脱式自動回転扉。
【請求項２】
前記駆動ギア（５０）の直下方には第１従動ギア（５１）が配設され、前記第１従動ギア（５１）の側方には第２従動ギア（５２）が噛合され、前記駆動ギア（５０）の両側に配設される軸受け（６２）のうちの一つは前記第２従動ギア（５２）の上部に配設されて、前記片ギアベルト（６０）の作動時に第１及び第２従動ギア（５１、５２）が互いに反対方向に回転されながら回転幕（３０）が互いに反対方向に開閉されることを特徴とする請求項１に記載のショーケース用着脱式自動回転扉。
【請求項３】
多数の回転幕（３０）が配備され、回転幕（３０）の上部には仕上げキャップ（４０）が嵌め込まれるが、前記仕上げキャップ（４０）の中央には嵌合突起（４１）が取り付けられ、前記嵌合突起（４１）には駆動ギア（５０）が取り付けられ、回転幕（３０）の下部には仕上げキャップ（４０）が嵌め込まれ、前記回転幕（３０）は上部に嵌め込まれた仕上げキャップ（４０）の嵌合突起（４１）を介して上部フレーム（２０）に多数列設された嵌合孔（２３）に組み付けられるが、嵌合突起（４１）に取り付けられた駆動ギア（５０）が上部フレーム（２０）の上面に列設され、両ギアベルト（６０ａ）は前記列設された多数の駆動ギア（５０）の上下に互いに交互に波形をなしながら噛合され、前記上部フレーム（２０）の内部には前記両ギアベルト（６０ａ）に回転力を与える駆動モータ（６３）が多数の駆動ギア（５０）のうちのいずれか一つの駆動ギア（５０）にモータの軸が連結されながら配設され、前記上部フレーム（２０）の上方にはセンサー（８０）が取り付けられた蓋体（２６）が取り付けられて、センサー（８０）の感知信号に基づく駆動モータ（６３）の作動によって前記両ギアベルト（６０ａ）が前記回転幕（３０）の上部に取り付けられた駆動ギア（５０）を同時に回転させるが、互いに反対方向に回転させることにより、回転幕（３０）が互いに反対方向に開閉されることを特徴とするショーケース用着脱式自動回転扉。
【請求項４】
多数の回転幕（３０）が配備され、回転幕（３０）の上部には仕上げキャップ（４０）が嵌め込まれるが、前記仕上げキャップ（４０）の一方の側には嵌合突起（４１）が取り付けられ、前記嵌合突起（４１）には駆動ギア（５０）が取り付けられ、回転幕（３０）の下部には仕上げキャップ（４０）が嵌め込まれ、前記回転幕（３０）は上部に嵌め込まれた仕上げキャップ（４０）の嵌合突起（４１）を介して上部フレーム（２０）に多数列設された嵌合孔（２３）に組み付けられ、嵌合突起（４１）に取り付けられた駆動ギア（５０）が上部フレーム（２０）の上面に列設され、前記駆動ギア（５０）の直下方には第１従動ギア（５１）が配設され、前記第１従動ギア（５１）の側方には第２従動ギア（５２）が噛合され、前記上部フレーム（２０）の内側面にはラックギア（６１）がレール溝（２１）に嵌まり込みながら前記駆動ギア（５０）と噛合され、上部フレーム（２０）の上面には前記ラックギア（６１）を駆動する駆動モータ（６３）が配設され、上部フレーム（２０）の上方にはセンサー（８０）が取り付けられた蓋体（２６）が取り付けられて、センサー（８０）の感知信号に基づく駆動モータ（６３）の作動によって前記ラックギア（６１）が前記回転幕（３０）の上部に取り付けられた駆動ギア（５０）を同時に回転させることにより、前記第１及び第２従動ギア（５１、５２）が互いに反対方向に回転されながら回転幕（３０）が互いに反対方向に開閉されることを特徴とするショーケース用着脱式自動回転扉。
【請求項５】
前記回転幕（３０）の下部に嵌め込まれた仕上げキャップ（４０）には嵌合突起（４１）が取り付けられ、前記回転幕（３０）の下部に嵌め込まれた仕上げキャップ（４０）の嵌合突起（４１）は下部フレーム（２２）に多数形成された嵌合孔（２３）に組み付けられることを特徴とする請求項１から請求項４のうちのいずれか一項に記載のショーケース用着脱式自動回転扉。
【請求項６】
前記下部フレーム（２２）の上面は斜めの排水斜面（２５）状に形成され、下部フレーム（２２）の一方の側には越流防止爪（２４）が突設されたことを特徴とする請求項５に記載のショーケース用着脱式自動回転扉。
【請求項７】
前記回転幕（３０）の下部には斜め折曲部（７１）を有する露受け（７０）が仕上げキャップ（４０）と回転幕（３０）との間の小さな隙間に嵌め込まれることにより、回転幕（３０）の表面に発生する露が落下して露受け（７０）を介して一個所に集まって排出されることを特徴とする請求項６に記載のショーケース用着脱式自動回転扉。
【請求項８】
前記駆動ギア（５０）の代わりに駆動プーリー（５０ａ）が取り付けられ、前記片ギアベルト（６０）と両ギアベルト（６０ａ）の代わりに無ギアのベルトが配設されることを特徴とする請求項１から請求項３のうちのいずれか一項に記載のショーケース用着脱式自動回転扉。
【請求項９】
前記回転幕（３０）の先端に孔を穿孔した後、仕上げキャップ（４０）に形成された据置突起（４３）に回転幕（３０）を嵌め込む方式によって回転幕（３０）と仕上げキャップ（４０）を継合したり、前記回転幕（３０）の先端に孔を穿孔して、回転幕（３０）の孔と仕上げキャップ（４０）の側方に形成された組付孔（４２）に繋ぎ輪（４４）を引っ掛ける方式によって回転幕（３０）と仕上げキャップ（４０）を継合したり、前記仕上げキャップ（４０）の側面に嵌合溝（４５）を形成し、前記嵌合溝（４５）と対応する形状の嵌合具（４６）を回転幕（３０）の先端に取り付けて、前記嵌合具（４６）を前記仕上げキャップ（４０）の嵌合溝（４５）に押し込む方式によって回転幕（３０）と仕上げキャップ（４０）を継合することにより、バラバラの回転幕（３０）が毀損されたときにユーザが手軽に且つ直ちに取り替えられるようにしたことを特徴とする請求項１から請求項４のうちのいずれか一項に記載のショーケース用着脱式自動回転扉。
【発明の詳細な説明】
【技術分野】
【０００１】
本発明はショーケース用扉に係り、さらに詳しくは、別途の扉がないオープンショーケースの前面にセンサーの感知に応じて自動的に回転される着脱式回転扉を配設することにより、ショーケースの内部をさらに清潔に且つ新鮮に維持することができるだけではなく、電力使用量が低減されることからメンテナンスに役立つショーケース用着脱式自動回転扉に関する。
【背景技術】
【０００２】
図１は、従来のオープン式ショーケースの斜視図である。オープン式ショーケースとは、主としてコンビニや製菓店などにおいて冷蔵が求められる種々の飲み物と食品などを長時間陳列して新鮮な状態を維持するためのものであり、図１に示すように、陳列棚１１が複層に構成された陳列空間１２と、冷気を生成するための冷蔵システムをはじめとしてショーケースのメンテナンスを行うための構成要素を有する機械室１３と、に大別される。
【０００３】
前記冷蔵システムは、押出機、凝縮機、膨張弁、熱交換機及びこれらを互いに連結する冷媒管などを有する通常のものであり、冷媒が繰り返し循環しながら冷気が生成され、この冷気は送風ファンを介して上部の陳列空間１２に供給されて陳列された食品の鮮度を維持する。
【０００４】
図１に示す従来のオープン式ショーケースは、最初にはショーケース１０の前面に引き戸式扉が配設されて普及されたが、扉を開いて食品を取り出す過程が消費者に不便さまたは面倒さを与えてしまい、扉付きショーケースは食飲料を陳列するのに不向きであると評価されている。
【０００５】
したがって、ほとんどのコンビニ及び製菓店においては、冷蔵が求められる飲み物と食品を陳列するために扉のないオープン式ショーケースが設置されるのが現状である。しかしながら、オープン式ショーケースは冷気が持続的に保存できずに外部に排出される構成であることに鑑みたとき、過度な冷房電力の使用費が費やされてしまうという問題点があるだけではなく、外部のホコリなどがショーケースの内部に流れ込むため、新鮮食品を陳列するのに不向きであるという意見もあるのが現状である。
【発明の概要】
【発明が解決しようとする課題】
【０００６】
したがって、本発明は上記事情に鑑みてなされたものであり、その目的は、ショーケースの内部に陳列された新鮮なインスタント食品と各種の飲み物などを外部から流れ込むホコリから保護してなお一層新鮮に陳列することができるだけではなく、新鮮度を高める冷気がショーケースの外部に過度に流出されることが防がれるショーケース用着脱式自動回転扉を提供することである。
【課題を解決するための手段】
【０００７】
上記の目的を達成するために、本発明に係るショーケース用着脱式自動回転扉は、多数の回転幕３０が配備され、回転幕３０の上部には仕上げキャップ４０が嵌め込まれるが、前記仕上げキャップ４０の中央には嵌合突起４１が取り付けられ、前記嵌合突起４１には駆動ギア５０が取り付けられ、回転幕３０の下部には仕上げキャップ４０が嵌め込まれ、前記回転幕３０は上部に嵌め込まれた仕上げキャップ４０の嵌合突起４１を介して上部フレーム２０に多数列設された嵌合孔２３に組み付けられるが、嵌合突起４１に取り付けられた駆動ギア５０が上部フレーム２０の上面に列設され、前記駆動ギア５０の両側には駆動ギア５０と噛合される片ギアベルト６０に張力を与えるための軸受け６２がそれぞれ配設され、上部フレーム２０の内部には前記片ギアベルト６０に回転力を与える駆動モータ６３が多数の駆動ギア５０のうちのいずれか一つの駆動ギア５０にモータの軸が連結されながら配設され、前記上部フレーム２０の上方にはセンサー８０が取り付けられた蓋体２６が取り付けられて、センサー８０の感知信号に基づく駆動モータ６３の作動によって前記片ギアベルト６０が前記回転幕３０の上部に取り付けられた駆動ギア５０を同時に同じ方向に回転させることにより、回転幕３０が同じ方向に開閉されるように構成される。
【発明の効果】
【０００８】
本発明に係るショーケース用着脱式自動回転扉によれば、オープン式ショーケースに陳列された各種の食品と飲み物を外部から流れ込む異物から保護してなお一層きれいな陳列状態を維持することができるだけではなく、新鮮度を高める冷気が外部に過度に流出されるという問題点が解決されて電力消費量を節減することができる。また、透明な材質の回転幕（アクリル板またはフィルム紙）の表面を用いてショーケースの内部に陳列された各種の食品の広報を容易に行うことができる。
【０００９】
また、バラバラの回転幕の上端が嵌合具、繋ぎ輪または据置突起などの構成要素を介して仕上げキャップに着脱され易くなることにより、回転幕の損傷時にユーザが手軽に且つ直ちに取り替えることができるという効果がある。一方、本発明のショーケース用着脱式自動回転扉が既存のショーケースに着脱可能なものであることを考慮したとき、既存の施設物を用いて一層向上したサービスを消費者に提供することができるというメリットがある。
【図面の簡単な説明】
【００１０】
【図１】従来のオープン式ショーケースの斜視図である。
【図２】本発明に係るショーケース用着脱式自動回転扉の分解斜視図である。
【図３】本発明における回転幕と上部フレームとの結合状態を説明するための詳細斜視図である。
【図４】本発明におけるセンサーと保護蓋体を説明するための斜視図である。
【図５】本発明に係る回転幕の作動原理と回転幕の開放間隔を説明するための模式図である。
【図６】本発明に係る回転幕の他の作動原理と回転幕の開放間隔を説明するための模式図である。
【図７】本発明におけるギアベルトと、駆動ギアと、第１及び第２従動ギアを説明するための斜視図である。
【図８】本発明に係るショーケース用着脱式自動回転扉の他の分解斜視図である。
【図９】本発明における回転幕と上部フレームとの結合状態を説明するための他の詳細斜視図である。
【図１０】本発明におけるラックギアと、駆動ギアと、第１及び第２従動ギアを説明するための斜視図である。
【図１１】本発明におけるラックギアと、駆動ギアと、第１及び第２従動ギアを説明するための斜視図である。
【図１２】本発明における回転幕を作動するための両ギアベルトと駆動ギアを説明するための模式図である。
【図１３】本発明における両ギアベルトと駆動ギアの配設状態を説明するための詳細斜視図である。
【図１４】本発明における回転幕を作動するための両ギアベルトと駆動ギアを説明するための他の模式図である。
【図１５】本発明における両ギアベルトと駆動ギアの配設状態を説明するための他の詳細斜視図である。
【図１６】本発明に係る回転幕と仕上げキャップとの連結手段を説明するための斜視図である。
【図１７】本発明における露受けを説明するための斜視図である。
【図１８】図１７におけるＡ−Ａ線断面図及びＢ−Ｂ線断面である。
【図１９】本発明に係るショーケース用着脱式自動回転扉の結合斜視図である。
【図２０】本発明に係るショーケース用着脱式自動回転扉の結合斜視図である。
【発明を実施するための形態】
【００１１】
本発明に係るショーケース用着脱式自動回転扉は、オープン式ショーケースの前方に着脱自在に配設されるものであり、ショーケースに陳列された食品に手を触れるための消費者の手動作をセンサー８０が予め感知することにより、手動作とともに多数の回転幕３０が同時に９０°回転されながら陳列食品を取り出せるようにしたショーケース用着脱式自動回転扉である。
【００１２】
以下、添付図面に基づき、本発明の目的を達成し得る好適な実施形態の技術構成及び効果について説明する。
【００１３】
図２は、本発明に係るショーケース用着脱式自動回転扉の分解斜視図である。図２に示すように、ショーケース１０の前面を開閉する多数の回転幕３０と、前記回転幕３０を配設するための矩形状の上部フレーム２０が配備される。回転幕３０の上部には、図２の上部に示す円内拡大図から明らかなように、仕上げキャップ４０が嵌め込まれるが、仕上げキャップ４０の中央には嵌合突起４１が取り付けられ、前記嵌合突起４１には駆動ギア５０が取り付けられる。
【００１４】
また、回転幕３０の下部には、図２の下部に示す円内拡大図から明らかなように、仕上げキャップ４０が嵌め込まれ、仕上げキャップ４０の中央には嵌合突起４１が取り付けられる。したがって、上述したように、上下部に仕上げキャップ４０が嵌め込まれた多数の回転幕３０は、図２に示す上部フレーム２０と下部フレーム２２に形成された嵌合孔２３に嵌合突起４１を介して取り付けられるのである。但し、下部フレーム２２は任意に選択可能なものであるため設置しなくてもよく、下部フレーム２２が配設されないときには、回転幕３０の下部に取り付けられる仕上げキャップ４０における嵌合突起４１もまた取り付けられない。
【００１５】
一方、前記回転幕３０としては、ショーケースの内部に陳列されたインスタント食品と飲み物を消費者が外部から認識し易いように透明なアクリル板または可撓性に優れた透明なフィルム紙を用いることが好ましい。前記回転幕３０として透明なアクリル板または透明なフィルム紙を用いると、ショーケースの内部に陳列された各種の食品の広報を容易に行うことができる。
【００１６】
図３は、本発明における回転幕３０と上部フレーム２０との結合状態を説明するための詳細斜視図である。図３は、上部フレーム２０の一部を切り欠いて示すものであり、上部フレーム２０の内側に形成された嵌合孔２３が所定の間隔を隔てて多数隔設されるため、前記嵌合孔２３に回転幕３０の嵌合突起４１を嵌め込むと、多数の回転幕３０が所定の間隔を隔てて配設されるのである。
【００１７】
図３の円内拡大図から明らかなように、多数配設された回転幕３０を同時に回転させ得るように片ギアベルト６０が配設される。前記片ギアベルト６０は回転幕３０の上部に取り付けられた多数の駆動ギア５０と噛合されながら帯状に閉合されて配設され、前記片ギアベルト６０に回転力を与える駆動モータ６３は多数の駆動ギア５０のうちのいずれか一つの駆動ギア５０にモータの軸が連結されるように配設される。また、図３の円内拡大図から明らかなように、上部フレーム２０に配設される駆動ギア５０の両側には軸受け６２がそれぞれ設けられるが、前記軸受け６２は駆動ギア５０と噛合される片ギアベルト６０に張力を与えることにより、１つの駆動モータ６３によって多数の回転幕３０が回転する過程で片ギアベルト６０に回転伝達力が最大に維持されるようにして多数の回転幕３０が一糸乱れず作動されるようにしたのである。
【００１８】
図４は、本発明におけるセンサー８０と保護蓋体２６を説明するための斜視図であり、前記上部フレーム２０の上方に蓋体２６が取り付けられ、蓋体２６の上部には消費者の動作を感知して駆動モータ６３に駆動信号を送出するセンサー８０が取り付けられる。前記センサー８０は通常のものであり、消費者の動作が上手に感知可能である限り、本発明の構成要素のいずれに配設してもよい。
【００１９】
図５は、本発明に係る回転幕３０の作動原理と回転幕３０の開放間隔を説明するための模式図であり、図５の（ａ）は、回転幕３０が閉鎖された状態であり、図５の（ａ）の状態で消費者がショーケース１０の内部に陳列された食品を手を伸ばして取ろうとすれば、前記上部フレーム２０の蓋体２６に配設されたセンサー８０が消費者の動作を感知して駆動モータ６３を時計回り方向に回転させる駆動信号を送出し、駆動モータ６３は駆動信号に基づいて回転運動をする。
【００２０】
また、駆動モータ６３が時計回り方向に回転運動をすれば、駆動モータ６３と連動される片ギアベルト６０は、図５の（ｂ）に示すように直線運動をしながら全体的に長方形の回転運動をし、これにより、片ギアベルト６０と噛合された多数の駆動ギア５０が回転幕３０を回転運動させて、図５の（ｂ）の過程を経て図５の（ｃ）のように回転幕３０が９０°回転されることにより、結果的に、回転幕３０が完全に開放されるのである。
【００２１】
一方、以下、図５に基づき、本発明に係る回転幕３０の開放間隔を説明する。図５の（ａ）は、ショーケース１０の入口を遮断している閉鎖状態の回転幕３０の配設様子を示すものであり、図５の（ｂ）は、回転幕３０が４５°回転された状態を示すものであり、図５の（ｃ）は、回転幕３０が９０°回転されてショーケース１０の入口が完全に開放された状態を示すものである。図５の（ｃ）に示すように、完全に開放された多数の回転幕３０の間隔Ｌは等間隔であることが好ましい。これは、消費者がショーケースの内部に手を入れるとき、開放された回転幕３０の等間隔Ｌによっていずれの位置からも同じ便利さが感じられるようにするためである。
【００２２】
このような消費者の便利さのために、多数の回転幕３０は奇数配設され、最初と最後の回転幕３０の幅は、途中に配設される回転幕３０の幅に比べて半分にすることにより、回転幕３０が完全に開放された状態で回転幕３０と回転幕３０との間隔Ｌを図５の（ｃ）のように等間隔にする。
【００２３】
一方、図６は、本発明に係る回転幕３０の他の作動原理と回転幕３０の開放間隔を説明するための模式図であり、図７は、本発明における片ギアベルト６０と、駆動ギア５０と、第１及び第２従動ギア５１、５２を説明するための斜視図である。図５においては、片ギアベルト６０と１つの駆動ギア５０及び軸受け６２を用いて回転幕３０を開閉したが、図６には、片ギアベルト６０と１つの駆動ギア５０及び前記駆動ギア５０の直下方に配設された第１従動ギア５１と前記第１従動ギア５１と噛合される第２従動ギア５２によって回転幕３０が時計回り方向と反時計回り方向に同時に開閉されることが順次に示されている。
【００２４】
すなわち、図７の円内拡大図から明らかなように、上部フレーム２０には多数配設された回転幕３０を同時に回転させ得るように片ギアベルト６０が配設される。前記片ギアベルト６０は回転幕３０の上部に取り付けられた多数の駆動ギア５０と噛合されながら帯状に閉合されて配設され、前記片ギアベルト６０に回転力を与える駆動モータ６３は多数の駆動ギア５０のうちのいずれか一つの駆動ギア５０にモータの軸が連結されるように配設される。また、図７の円内拡大図から明らかなように、上部フレーム２０に配設される駆動ギア５０の直下方には第１従動ギア５１が配設され、前記第１従動ギア５１の側方には第２従動ギア５２が噛合される。さらに、前記駆動ギア５０の一方の側方には軸受け６２が配設され、駆動ギア５０の他方の側方には前記第２従動ギア５２の上部に軸受け６２が配設されるが、前記軸受け６２は駆動ギア５０と噛合される片ギアベルト６０に張力を与えることにより、１つの駆動モータ６３によって多数の回転幕３０が回転する過程で片ギアベルト６０に回転伝達力が最大に維持されるようにして多数の回転幕３０が一糸乱れず作動されるようにしたのである。
【００２５】
このため、図６の（ｂ）に示すように、駆動モータ６３が反時計回り方向に回転すれば、片ギアベルト６０によって駆動ギア５０と駆動ギア５０の直下方に連結された第１従動ギア５１が反時計回り方向に回転され、このとき、第１従動ギア５１の下方に配設された回転幕３０もまた反時計回り方向に回転されるのである。一方、第１従動ギア５１が反時計回り方向に回転するときには、第１従動ギア５１と噛合された第２従動ギア５２は時計回り方向に回転されるが、前記第２従動ギア５２の下方に配設された回転幕３０も時計回り方向に回転されながら図６の（ｃ）のように開放されるのである。
【００２６】
図６及び図７に基づいて説明しようとする技術は、回転幕３０を異なる方向に回転させても図６の（ｃ）に示すように同じ間隔Ｌを維持しながら開放可能であるということである。なお、図６の（ｃ）に示すように、開放された回転幕３０がショーケースの内部側に配設されることなく、ショーケースの外部側に回転幕３０が開放されながら位置することにより、ショーケースの内部に配設された陳列棚１１と回転幕３０とが干渉される問題が発生しないだけではなく、開放される回転幕３０の間隔Ｌを一層広く確保することができるので、嵩張った食品を入れたり取り出したりすることが手軽に行われる。
【００２７】
図８は、本発明に係るショーケース用着脱式自動回転扉の他の分解斜視図であり、図８に示すように、ショーケースの前面を開閉する多数の回転幕３０と、前記回転幕３０を配設するための矩形状の上部フレーム２０が配備される。回転幕３０の上部には、図８の上部に示す円内拡大図から明らかなように、仕上げキャップ４０が嵌め込まれるが、仕上げキャップ４０の一方の側には嵌合突起４１が取り付けられ、前記嵌合突起４１には駆動ギア５０が取り付けられ、前記駆動ギア５０の直下方には第１従動ギア５１が取り付けられる。一方、図８の上部に示す円内拡大図から明らかなように、第１従動ギア５１の側方には第１従動ギア５１と噛合されるように第２従動ギア５２が取り付けられた回転幕３０が位置する。
【００２８】
また、回転幕３０の下部には、図８の下部に示す円内拡大図から明らかなように、仕上げキャップ４０が嵌め込まれ、仕上げキャップ４０の一方の側には嵌合突起４１が取り付けられる。このため、上述したように、上下部に仕上げキャップ４０が嵌め込まれた多数の回転幕３０は図８に示す上部フレーム２０と下部フレーム２２に形成された嵌合孔２３に嵌合突起４１を介して取り付けられるのである。但し、下部フレーム２２は任意に選択可能なものであるため設置しなくてもよく、下部フレーム２２が配設されないときには、回転幕３０の下部に取り付けられる仕上げキャップ４０における嵌合突起４１もまた取り付けられない。
【００２９】
図９は、本発明における回転幕３０と上部フレーム２０との結合状態を説明するための他の詳細斜視図であり、図１０及び図１１は、本発明におけるラックギア６１と、駆動ギア５０と、第１及び第２従動ギア５１、５２を説明するための斜視図である。図９の円内拡大図から明らかなように、所定の間隔を隔てて配設された回転幕３０を同時に回転させ得るようにラックギア６１が配設されるが、前記ラックギア６１は上部フレーム２０の側面に形成されたレール溝２１に嵌まり込むようになる。
【００３０】
すなわち、図１１の円内拡大図から明らかなように、前記ラックギア６１は上部フレーム２０の側面に形成されたレール溝２１に左右に直線運動をするように取り付けられ、多数の回転幕３０は先端に配設された駆動ギア５０を介してラックギア６１と噛合されることにより、ラックギア６１の直線運動が駆動ギア５０の回転運動に変わりながら多数の駆動ギア５０の直下方に位置している回転幕３０が同時に回転されるのである。
【００３１】
一方、駆動ギア５０の回転運動は、駆動ギア５０の直下方に配設された第１従動ギア５１と連動され、第１従動ギア５１は、図１１の円内拡大図から明らかなように、第２従動ギア５２と側方において噛合される構成であるが、要するに、第１従動ギア５１の反時計回り方向の回転運動は第２従動ギア５２において時計回り方向の回転運動として展開され、２つの回転幕３０が同時に時計回り方向と反時計回り方向に回転されながらショーケースが開閉されるのである。また、前記ラックギア６１の直線運動は、図１０及び図１１に示すように、上部フレーム２０の上面に配設された駆動モータ６３の駆動によってラックギア６１が直線運動をすることになる。
【００３２】
一方、図８から図１１に基づいて説明した本発明の他の実施形態においては、ラックギア６１と、駆動ギア５０と、第１及び第２従動ギア５１、５２の作動によって回転幕３０の開放位置がショーケースの前方にのみあるようにしている。これは、回転幕３０が回転される過程で、ショーケースの内部に配設された陳列棚１１と干渉が発生しないようにするために講じられたことであり、開放される回転幕３０の間隔Ｌを一層広く確保することができるので、嵩張った食品を入れたり取り出したりすることが便利になる。
【００３３】
図１２は、本発明における回転幕３０を作動するための両ギアベルト６０ａと駆動ギア５０を説明するための模式図であり、図１３は、本発明における両ギアベルト６０ａと駆動ギア５０の配設状態を説明するための詳細斜視図である。図１２に示す回転幕３０の作動原理と回転幕３０の開放間隔は、上述した図５に基づいて説明した通りである。但し、図１２及び図１３に示すように、駆動ギア５０に片ギアベルト６０を噛合する代わりに、ベルトの両側にギア付き両ギアベルト６０ａを噛合するが、列設された多数の駆動ギア５０に上下に交互に閉合されるように配設することにより、両ギアベルト６０ａが波形をなしながら噛合される。このため、両ギアベルト６０ａが前記回転幕３０の上部に取り付けられた駆動ギア５０を同時に回転させるが、互いに反対方向に回転させることにより、回転幕３０が互いに反対方向に開閉されることが特徴である。
【００３４】
図１３の円内拡大図から明らかなように、駆動ギア５０と噛合される両ギアベルト６０ａに張力を与えるために、駆動ギア５０の側方に軸受け６２を配設する。また、駆動モータ６３を多数の駆動ギア５０のうちのいずれか一つの駆動ギア５０にモータの軸を連結して配設することにより、１つの駆動モータ６３の作動によって多数の回転幕３０が一糸乱れずに作動されるようにする。一方、図１３に矢印にて引き出して示すように、ギア付き駆動ギア５０の代わりに、外周面にギア無し駆動プーリー５０ａを配設してもよいが、駆動プーリー５０ａとベルトの摩擦力を用いて駆動モータ６３の駆動力を伝えてもよい。
【００３５】
図１４は、本発明における回転幕３０を作動するための両ギアベルト６０ａと駆動ギア５０を説明するための他の模式図であり、図１５は、本発明における両ギアベルト６０ａと駆動ギア５０の配設状態を説明するための他の詳細斜視図である。図１４に示す回転幕３０の作動原理と回転幕３０の開放間隔は、図６に基づいて上述した通りである。但し、図１４及び図１５に示すように、駆動ギア５０に片ギアベルト６０を噛合する代わりに、ベルトの両側にギア付き両ギアベルト６０ａを噛合するが、列設された多数の駆動ギア５０に上下に交互に閉合されるように配設することにより、両ギアベルト６０ａが波形をなしながら噛合される。このため、両ギアベルト６０ａが前記回転幕３０の上部に取り付けられた駆動ギア５０を同時に回転させるが、互いに反対方向に回転させることにより、回転幕３０が互いに反対方向に開閉されることが特徴である。
【００３６】
また、図１４及び図１５に示すように、２つの駆動ギア５０を一対にして列設するが、一対をなして配設される駆動ギア５０を奇数配設し、一対をなして配設される駆動ギア５０の一方の側方には駆動ギア５０を一対ではない１つのみを配設した後、両ギアベルト６０ａを列設された多数の駆動ギア５０に上下に交互に閉合されるように配設し、噛合される両ギアベルト６０ａに張力を与えるために、駆動ギア５０の側方に軸受け６２を配設する。なお、駆動モータ６３を多数の駆動ギア５０のうちのいずれか一つの駆動ギア５０にモータの軸を連結して配設することにより、１つの駆動モータ６３の作動によって多数の回転幕３０が一糸乱れずに開閉されるのである。
【００３７】
一方、図１４の（ｃ）に示すように、開放された回転幕３０がショーケース１０の内部側に位置することなく、ショーケース１０の外部側に回転幕３０が開放されながら位置することにより、ショーケース１０の内部に配設された陳列棚１１と回転幕３０が干渉される問題が発生しないだけではなく、開放される回転幕３０の間隔Ｌを一層広く確保することができるので、嵩張った食品を入れたり取り出したりすることが便利になる。一方、図１５に矢印にて引き出して示すように、ギア付き駆動ギア５０の代わりに、外周面にギア無し駆動プーリー５０ａを配設してもよいが、駆動プーリー５０ａとベルトの摩擦力を用いて駆動モータ６３の駆動力を伝えることができる。
【００３８】
図１６は、本発明に係る回転幕３０と仕上げキャップ４０との連結手段を説明するための斜視図であり、図１６の（ａ）は、仕上げキャップ４０に据置突起４３を形成し、回転幕３０の先端に孔を穿孔した後、前記据置突起４３に回転幕３０を嵌め込む方式により回転幕３０と仕上げキャップ４０を連結する。なお、図１６の（ｂ）は、回転幕３０の先端に孔を穿孔した後、回転幕３０の孔と仕上げキャップ４０の側方に形成された組付孔４２を繋ぎ輪４４を介して連結する方式により回転幕３０と仕上げキャップ４０を連結する。
【００３９】
また、図１６の（ｃ）は、仕上げキャップ４０の側面に嵌合溝４５を形成し、前記嵌合溝４５と対応する形状の嵌合具４６を回転幕３０の先端に取り付けた後、回転幕３０の先端に取り付けられた嵌合具４６を前記仕上げキャップ４０の嵌合溝４５に押し込む方式により回転幕３０と仕上げキャップ４０を連結することを示すものである。前記図１６に示す回転幕３０と仕上げキャップ４０の連結手段は、バラバラの回転幕３０の毀損時にユーザが手軽に且つ直ちに取り替えられるように講じられたものである。
【００４０】
図１７は、本発明における露受け７０を説明するための斜視図であり、図１８は、図１７におけるＡ−Ａ線断面図及びＢ−Ｂ線断面図である。回転幕３０の表面には空気中の水蒸気が気温差によって露が結ばれる現象が発生するが、このような露をリアルタイムにてきれいに排水するために、回転幕３０の下端部に露受け７０が配設される。
【００４１】
すなわち、図１７の円内拡大図及び図１８におけるＡ−Ａ線断面図から明らかなように、斜め折曲部７１を有する露受け７０を仕上げキャップ４０と回転幕３０との間の狭い隙間に堅く嵌め込む方式により取り付ける。このため、図１７の下部に示す円内拡大図に矢印にて示すように、落下する露は露受け７０に集まり、集まった露は斜め折曲部７１に沿って排出される構成となる。
【００４２】
一方、図１８におけるＢ−Ｂ線は、下部フレーム２２の断面図であり、下部フレーム２２の上面は斜めの排水斜面２５状に形成され、下部フレーム２２の一方の側には越流防止爪２４が突設される。このため、前記露受け７０の斜め折曲部７１に沿って流下した露は下部フレーム２２の排水斜面２５に沿ってショーケース１０の内部に排出されるのである。なお、前記越流防止爪２４は、過量の露が排水斜面２５に流下するときに、露が下部フレーム２２の外部に溢れ出ることを未然に防ぐために形成する。
【００４３】
上述したように、排出された露はショーケースの機械室の下部に別設された排水タンクに集まるか、別途の排水管を介して一個所に集まって捨てられるシステムによって管理されるが、排水システムは通常の方法を採用すればよいため、本発明とは別途の構成であるといえる。
【００４４】
図１９及び図２０は、本発明に係るショーケース用着脱式自動回転扉の結合斜視図であり、本発明に係るショーケース用着脱式自動回転扉を図１９に示すように上部フレーム２０と下部フレーム２２の両方を用いて取り付けてもよく、図２０に示すように、上部フレーム２０のみを配設して取り付けてもよい。回転幕３０としてアクリル板のように僅かな重量感と質感を有する板状材料を採用するときには、図１９に示すように、上部フレーム２０と下部フレーム２２を両方とも配設して堅い配設をすることが好ましく、回転幕３０として柔らかくて軽いフィルム紙を採用するときには、図２０に示すように、上部フレーム２０のみを配設することが好ましい。
【００４５】
以上述べたように、本発明に係るショーケース用着脱式自動回転扉によれば、オープン式ショーケースに陳列された各種の食品と飲み物を外部から流れ込む異物から保護してなお一層きれいな陳列状態を維持することができるだけではなく、新鮮度を高める冷気が外部に過度に流出されるという問題点が解決されて電力消費量を節減することができる。また、透明な材質の回転幕（アクリル板またはフィルム紙）の表面を用いてショーケースの内部に陳列された各種の食品の広報を容易に行うことができる。
【００４６】
また、バラバラの回転幕の上端が嵌合具、繋ぎ輪または据置突起などの構成要素を介して仕上げキャップに着脱され易くなることにより、回転幕の損傷時にユーザが手軽に且つ直ちに取り替えることができるという効果がある。一方、本発明のショーケース用着脱式自動回転扉が既存のショーケースに着脱可能なものであることを考慮したとき、既存の施設物を用いて一層向上したサービスを消費者に提供することができるというメリットがある。
【符号の説明】
【００４７】
１０：ショーケース
１１：陳列棚
１２：陳列空間
１３：機械室
２０：上部フレーム
２１：レール溝
２２：下部フレーム
２３：嵌合孔
２４：越流防止爪
２５：排水斜面
２６：蓋体
３０：回転幕
４０：仕上げキャップ
４１：嵌合突起
４２：組付孔
４３：据置突起
４４：繋ぎ輪
４５：嵌合溝
４６：嵌合具
５０：駆動ギア
５０ａ：駆動プーリー
５１：第１従動ギア
５２：第２従動ギア
６０：片ギアベルト
６０ａ：両ギアベルト
６１：ラックギア
６２：軸受け
６３：駆動モータ
７０：露受け
７１：斜め折曲部
８０：センサー
Ｌ：間隔
【図１】
2014217746.tif 000003
【図２】
2014217746.tif 000004
【図３】
2014217746.tif 000005
【図４】
2014217746.tif 000006
【図５】
2014217746.tif 000007
【図６】
2014217746.tif 000008
【図７】
2014217746.tif 000009
【図８】
2014217746.tif 000010
【図９】
2014217746.tif 000011
【図１０】
2014217746.tif 000012
【図１１】
2014217746.tif 000013
【図１２】
2014217746.tif 000014
【図１３】
2014217746.tif 000015
【図１４】
2014217746.tif 000016
【図１５】
2014217746.tif 000017
【図１６】
2014217746.tif 000018
【図１７】
2014217746.tif 000019
【図１８】
2014217746.tif 000020
【図１９】
2014217746.tif 000021
【図２０】
2014217746.tif 000022